(57)【要約】      （修正有）【課題】車両の使用者又は運転者が安全に一つ以上の放送局を管理する、コンテンツ管理システムを提供する。【解決手段】ユーザは、機器のアプリケーションを用いるなどして、この機器を事前設定放送局又はお気に入り放送局で事前設定する。この機器を利用して、車両を事前設定放送局やお気に入り放送局で同期させる。安全運転を促進するために、いくつかの状況時には、車両では事前設定放送局しかアクセスできないものとする。例えば、このような状況時には、事前設定放送局しかお気に入りとして登録または設定できないものとする。事前設定またはお気に入りは、ユーザの特性又は時刻のような他の属性に基づいて、提示又は整理される。【選択図】図１
2015149709.tif 000002
【特許請求の範囲】
【請求項１】
コンテンツ管理システムであって、前記システムは、
アプリケーションによって一つ以上の放送局が事前設定放送局またはお気に入り放送局として設定されるモバイル機器に、前記システムを通信可能に連結する通信コンポーネントと、
前記モバイル機器の前記アプリケーションによって設定された、前記一つ以上の放送局を受信し、
前記一つ以上の放送局のうちの所定の放送局が、事前設定放送局またはお気に入り放送局であるかどうかに基づいて、前記一つ以上の放送局を整理し、
選局を受信する、管理コンポーネントと、
前記選局に対応する放送局と関連付けられた、一つ以上の通知を表示する提示コンポーネントと、を備え、
前記通信コンポーネント、前記管理コンポーネント、または前記提示コンポーネントは、処理装置を用いて実施される
ことを特徴とするコンテンツ管理システム。
【請求項２】
前記管理コンポーネントは、以前に設定された事前設定放送局が、ユーザ入力に基づいて、お気に入り放送局として設定されるように、前記一つ以上の放送局を再設定することができる
ことを特徴とする、請求項１に記載のコンテンツ管理システム。
【請求項３】
前記提示コンポーネントは、一つ以上の事前設定放送局のリストまたは一つ以上のお気に入り放送局のリストを表示する
ことを特徴とする、請求項１に記載のコンテンツ管理システム。
【請求項４】
前記通信コンポーネントは、前記選局またはユーザ入力を伝送する
ことを特徴とする、請求項１に記載のコンテンツ管理システム。
【請求項５】
さらに、ユーザ活動に基づいて一つ以上の推奨放送局を提供する推奨コンポーネントを備える
ことを特徴とする、請求項１に記載のコンテンツ管理システム。
【請求項６】
前記通信コンポーネントは、ブルートゥースチャネルを介して前記モバイル機器に前記システムを通信可能に連結する
ことを特徴とする、請求項１に記載のコンテンツ管理システム。
【請求項７】
前記管理コンポーネントは、クラウドから前記一つ以上の放送局を受信する
ことを特徴とする、請求項１に記載のコンテンツ管理システム。
【請求項８】
前記管理コンポーネントは、前記選局に対応する前記放送局の再生が容易にできるようにする
ことを特徴とする、請求項１に記載のコンテンツ管理システム。
【請求項９】
前記提示コンポーネントは、一つ以上のディスプレイまたは一つ以上のスピーカを備え、前記一つ以上の通知は、視覚的通知または音声通知である
ことを特徴とする、請求項１に記載のコンテンツ管理システム。
【請求項１０】
前記管理コンポーネントは、車両内で用いられ、前記モバイル機器の前記アプリケーションによって設定された前記一つ以上の放送局を整理する
ことを特徴とする、請求項１に記載のコンテンツ管理システム。
【請求項１１】
車両にシステムを通信可能に連結する通信コンポーネントと、
有料で楽しむことができる一つ以上の放送局を収集する放送局集約コンポーネントと、
前記一つ以上の放送局のそれぞれに対して、事前設定の指定またはお気に入りの指定である、一つ以上のユーザ指定を受け取り、
前記一つ以上のユーザ指定に基づいて、前記一つ以上の放送局から一つ以上の事前設定放送局のリストと一つ以上のお気に入り放送局のリストを構築する、アプリケーションコンポーネントと、
前記一つ以上の放送局のそれぞれに対する前記一つ以上のユーザ指定を確認する表示コンポーネントと、を備える
ことを特徴とするコンテンツ管理システム。
【請求項１２】
前記通信コンポーネントは、一つ以上の事前設定放送局の前記リストまたは一つ以上のお気に入り放送局の前記リストを伝送する
ことを特徴とする、請求項１１に記載のコンテンツ管理システム。
【請求項１３】
前記コンテンツ管理システムと関連付けられた一つ以上の他のアプリケーションに基づいて、一つ以上の推奨放送局を提供する推奨コンポーネントを備える
ことを特徴とする、請求項１１に記載のコンテンツ管理システム。
【請求項１４】
前記コンテンツ管理システムは、モバイル機器内に採用される
ことを特徴とする、請求項１１に記載のコンテンツ管理システム。
【請求項１５】
一つ以上の放送局を集約するステップと、
前記一つ以上の放送局のそれぞれに対して、事前設定の指定またはお気に入りの指定である、一つ以上のユーザ指定を受け取るステップと、
対応する前記一つ以上のユーザ指定に基づいて、前記一つ以上の放送局を伝送するステップと、を含み、
前記集約するステップ、前記受け取るステップ、または前記伝送するステップは、処理装置を用いて実施される
ことを特徴とするコンテンツ管理方法。
【請求項１６】
前記一つ以上の放送局のそれぞれに対する前記一つ以上のユーザ指定に基づいて、一つ以上の事前設定放送局のリストまたは一つ以上のお気に入り放送局のリストを表示するステップを含む
ことを特徴とする、請求項１５に記載のコンテンツ管理方法。
【請求項１７】
車両用スナップショットデータをカスタマイズするシステムであって、
前記一つ以上の伝送された放送局と関連付けられた、車両内で発生するユーザ活動を受け取るステップを含む
ことを特徴とする、請求項１５に記載のコンテンツ管理方法。
【請求項１８】
前記一つ以上の放送局のそれぞれに対する前記一つ以上のユーザ指定の確認を表示するステップを含む
ことを特徴とする、請求項１５に記載のコンテンツ管理方法。
【請求項１９】
モバイル機器と関連付けられた一つ以上のアプリケーションに基づいて、一つ以上の推奨放送局を推奨するステップを含む
ことを特徴とする、請求項１５に記載のコンテンツ管理方法。
【請求項２０】
モバイル機器と関連付けられたユーザ活動に基づいて、一つ以上の推奨放送局を推奨するステップを含む
ことを特徴とする、請求項１５に記載のコンテンツ管理方法。
【発明の詳細な説明】
【技術分野】
【０００１】
本発明は、コンテンツ管理に関する。
【背景技術】
【０００２】
一般的に、車両には、搬送波周波数および対応する帯域幅を信号処理に適した固定周波数に変換することによって、車両の乗員がラジオ周波数伝送（例えば、放送ラジオ）を受信することができるチューナーやコンポーネントが装備されている。例えば、ラジオ信号を復調し、それによって音声周波数信号を提供してもよい。ユーザは、車両の事前設定にラジオ放送局を追加することで、所定の事前設定として保存された放送局に迅速にアクセスすることができるようになる。例えば、車両に装備されたラジオは、十個のボタン（例えば、０〜９）が装備された状態であるとすると、特定の周波数のラジオ放送局を選局中にユーザがボタンを押し続けることによって、十個（またはそれ以上）の事前設定を保存することができる。
【０００３】
しかしながら、追加の放送局や衛星ラジオなどによる追加チャンネルの出現によって、例えば、ユーザは、少なくとも数百の選局対象放送局を有する可能性がある。その結果、放送局、チャンネル、または事前設定を利用するナビゲーションがますます困難となる可能性がある。同様に、特に運転者が車両を操作しているときは、お気に入りや事前設定を編集したり、設定したり、決めたりすることは、注意散漫の元となる可能性がある。
【発明の概要】
【０００４】
この概要は、以下の発明を実施する形態において説明する、えりすぐりの概念を簡略化した形式で紹介するために提供するものである。この概要は、特許請求する主題の広範な概観として、特許請求する主題の主な要因または本質的な特徴を特定することを意図したものではなく、特許請求する主題の範囲を限定する目的で使用されることを意図したものでもない。
【０００５】
本明細書では、コンテンツ管理のための技術やシステムの一つ以上の実施形態が提供される。コンテンツ管理システムは、車両の使用者または運転者が安全に一つ以上の放送局を管理することができるように提供される。本明細書で使用する場合、放送局とは、例えば、チャンネル、ラジオ放送局、コンテンツ放送局、ショートカット、ポッドキャスト、または、放送されたり事前録音されたりした他のコンテンツであるものとする。言い換えれば、放送局は、ラジオチャンネルまたはテレビチャンネルに限定されるものではなく、インターネットストリーム、ポッドキャスト、または有料で楽しむ他の形態のメディアのような、コンテンツチャネルを含むものとする。一つ以上の実施形態では、ユーザは、一つ以上の放送局を事前設定として、割り当てたり、指定したり、または設定したりすることによって、一つ以上の放送局を管理するものとする。これは、例えば、利用可能な放送局のリスト、またはカテゴリ別に分類された放送局の複数リストを提供し、ユーザが個々の放送局または放送局グループを登録または指定して一つ以上の事前設定ボタンに対応させることによって、達成されるものとする。例えば、車両に、十個の物理的な事前設定ボタン（またはソフトウェアボタン）を備えたダッシュボードインタフェースが装備されている場合、ユーザは、所定の放送局が選局中、動作中、または現在再生中であるとき、対応する事前設定ボタンを押し続けることによって、所定の放送局を事前設定ボタンの一つに割り当てることができるものとする。このようにして、事前設定は、ユーザによって割り当てられ、または指定されるものとする。
【０００６】
同様に、ユーザは、所定の事前設定と関連付けられた一つ以上の放送局をお気に入りの放送局として、割り当て、指定、または設定するものとする。一つ以上の実施形態では、これは、利用可能な事前設定のリストを提供し、ユーザが一つ以上の事前設定された放送局をお気に入りとして登録または指定することができるようにすることによって、達成されるものとする。このようにして、お気に入りは、ユーザによって割り当てられ、または指定されるものとする。一つ以上の実施形態では、ユーザは、所定の放送局をお気に入りとして登録または指定する前に、その放送局を事前設定として追加する必要があるものとする。例えば、これは、運転者が、お気に入りとして設定しようと複数または多数の利用可能な放送局を探し回らないように、安全運転を促進する目的で行われるものとする。
【０００７】
さらに、車両内で発生する動作（例えば、事前設定、お気に入り、チャネル、または設定のためにリストされた放送局、を設定すること、等）は、他の機器との間で同期させてもよい。例えば、コンテンツ管理用システムの通信コンポーネントは、そのシステムをモバイル機器に接続するものとする。この目的のために、ユーザがモバイル機器上のアプリケーションを利用して、車両を操作する前に、事前設定やお気に入りの放送局を用意し、車両が動くと同時に事前設定、お気に入り、または利用可能な放送局が有効になるものとする。通信コンポーネントは、また、活動つまり車両でのユーザ活動をモバイル機器またはクラウドに伝送するものとする。例えば、ユーザが、車両内にあるインターフェースを利用して事前設定をお気に入り放送局に再設定または変更する場合、そのような変更は、モバイル機器のアプリケーションと同期されるものとする。
【０００８】
さらに、一つ以上の実施形態では、一つ以上の変更、ユーザ入力、またはユーザ活動が、様々な要因に基づいて選択的に同期されるものとする。例えば、ユーザが、モバイル機器上で練習用のプレイリストまたは放送局を作成し、モバイル機器上でその練習用放送局をお気に入りとして登録した場合、その放送局またはプレイリストは、放送局の名前、放送局と関連付けられた目的、またはモバイル機器上で利用されているときの放送局と関連付けられた場所（例えば、ジム）に基づいて、必ずしも車両と同期されるとは限らない可能性がある。その結果、（例えば、モバイル機器上でお気に入りとして登録されている）練習用放送局は、その練習用放送局が車両の設定にはほとんどまたは全く使えないという決定のもとで、車両と同期される（別の例としては、全くされない）ものとする。
【０００９】
以下の説明および添付図面は、いくつかの例示的な態様および実施を示している。これらは、一つ以上の態様が採用される様々な方法のうちのほんのいくつかを示すものである。添付の図面と併せて考察されれば、以下の詳細な説明から、本開示の他の態様、利点、または新規性のある特徴が、明らかになるであろう。
【図面の簡単な説明】
【００１０】
本開示の態様は、以下の詳細な説明を添付図面と共に読むことで理解することができる。図面の要素、構造体、等は、必ずしも一定の縮尺で描かれていないことがある。したがって、例えば、同一の寸法が、説明の都合上任意に拡大または縮小されることがある。
【００１１】
【図１】一つ以上の実施形態に係る、例示的なコンテンツ管理システムの図である。
【図２】一つ以上の実施形態に係る、例示的なコンテンツ管理システムの図である。
【図３】一つ以上の実施形態に係るコンテンツ管理方法の例示的な流れ図を示している。
【図４】一つ以上の実施形態に係るコンテンツ管理方法の例示的な流れ図を示している。
【図５】一つ以上の実施形態に係るコンテンツ管理システムと関連付けられた例示的なインターフェースを示す図である。
【図６】一つ以上の実施形態に係る、本明細書に記載された一つ以上の提供物を具現化するように構成されたプロセッサ実行可能命令を含む、例示的なコンピュータ可読媒体またはコンピュータ可読装置を示す図である。
【図７】一つ以上の実施形態に係る、本明細書に記載された一つ以上の提供物が実装されている例示的なコンピュータ環境を示す図である。
【発明を実施するための形態】
【００１２】
図面に示された実施形態または実施例は、特定の表現を使用して以下に開示されている。そうではあるが、これらの実施形態または実施例は、限定することを意図するものではないことが理解されるであろう。開示された実施形態の任意の改変および変更、そして本明細書に開示する原理のさらなる応用が、通常、当該技術分野の当業者がそうするように、検討されることになる。
【００１３】
本明細書中に登場する、一つ以上の図において、例えば、図７の境界線７１４のような一つ以上の境界は、互いに対して、異なる高さ、幅、周囲長、アスペクト比、形状、等で描画されるが、単に図示する目的のためだけであって、必ずしも一定の縮尺で描かれていない。例えば、異なる境界線を表すために破線または点線が使用されるため、その破線および点線が互いの上に描画された場合、それらは図面で区別できなくなるので、一つ以上の図面で、互いに区別できるように、互いに異なる寸法でまたはわずかに離して描画される。別の例として、境界線が不規則な形状と関連付けられている場合、破線や点線で描かれた箱のような境界線は、一回または複数回で必ずしもコンポーネント全体を包含するものではない。逆に、描かれた箱は、一回または複数回で必ずしも関連付けられたコンポーネントだけを包含するものではないが、一つ以上の他のコンポーネントの少なくとも一部も同時に包含する。
【００１４】
本明細書では、コンテンツ管理の技術やシステムの一つ以上の実施形態が提供される。これらの技術やシステムを使えば、ユーザや車両の運転者は、一つ以上の事前設定または一つ以上のお気に入りを管理したり整理したりすることができる。例えば、利用可能なコンテンツ放送局を集めたものが提示されて、ユーザは、ある機器でそれぞれの放送局を整理してからこれらの放送局を（例えば、整理されたとおりに）その機器から別の機器へ移植したり転送したりすることができるものとする。例えば、ユーザは、モバイル機器で一連の放送局を整理し、そのモバイル機器を利用して、車両が放送局を同じように整理したもので設定されるように、この一連の放送局を移したり転送したりしてもよい。別の例として、車両内で事前設定に対して行なった変更は、モバイル機器に記録され反映されてもよい。車両から車両への同期も同様に、クラウド、無線接続、近距離通信、ブルートゥース、等を介して発生してもよい。
【００１５】
図１は、一つ以上の実施形態に係る、例示的なコンテンツ管理システム１００の図である。コンテンツ管理システム１００は、通信コンポーネント１１０と、管理コンポーネント１２０と、推奨コンポーネント１３０と、提示コンポーネント１４０と、を備えるものとする。通信コンポーネント１１０は、システム１００が他の機器、モバイル機器、他の車両、クラウド、等と通信することができるようにする。例えば、通信コンポーネント１１０は、データを含めた放送局情報、放送局のリスト、事前設定のリスト、またはお気に入りのリストを別のシステム２００から受信するものとする。
【００１６】
同様に、通信コンポーネント１１０は、情報を他の機器、またはシステム２００のような他のシステムに伝送または送信し、それによってシステム１００と別のシステム２００との間の通信ができるようにするものとする。言い換えれば、通信コンポーネント１１０は、例えば、モバイル機器（例えば、システム２００）に車両（または、例えば、システム１００）の通信コンポーネント１１０を通信可能に連結することによって、車両とモバイル機器との間のデータ転送を可能にするものとする。通信コンポーネント１１０は、放送局情報、データ、入力、ユーザ入力、放送局の選局のようなユーザ活動を、ブルートゥースチャネル、無線ＬＡＮ、有線接続、ユニバーサルシリアルバス（ＵＳＢ）、テレマティックス、クラウド、等を介して伝送または受信するものとする。
【００１７】
本明細書で説明されるように、モバイル機器のアプリケーションを利用して、一つ以上の放送局を事前設定の放送局、お気に入りの放送局として設定または指定したり、他の状態表示を割り当てたりするものとする。同様に、管理コンポーネント１２０を使用して、一つ以上の放送局を整理するものとする。一つ以上の実施形態では、管理コンポーネント１２０によって整理されたり管理されたりする放送局のうち一つ以上が、ユーザによってモバイル機器のアプリケーションを介して事前設定の放送局、お気に入り、お気に入り放送局、等として設定されたり指定されたりするものとする。前述したように、放送局には、チャネル、メディア、ストリーミングコンテンツ、または他のコンテンツが含まれるものとし、必ずしもラジオ放送局またはテレビ放送局に限定されるものではない。
【００１８】
一例として、管理コンポーネント１２０は、モバイル機器のアプリケーションによって設定または構成された一つ以上の放送局を受信するものとする。このようにして、ユーザは、モバイル機器と対応アプリケーションを使用して、車両外で放送局のリストを構成または設定し、通信コンポーネント１１０を介してそれらの放送局を車両に移植するか車両と同期させ、管理コンポーネント１２０を利用してそれらの放送局を整理するものとする。例えば、一つ以上の事前設定放送局のリストと一つ以上のお気に入り放送局のリストが、システム２００（例えば、モバイル機器または他の機器）のアプリケーション内に作成されるものとする。通信コンポーネント１１０は、システム１００にシステム２００を通信可能に結合し、それによって、管理コンポーネント１２０が事前設定放送局のうちの一つ以上またはお気に入り放送局のうちの一つ以上を整理することができるようにするものとする。
【００１９】
一つ以上の実施形態では、放送局のうちの一つ以上は、放送局のうちの一つ以上の放送局が事前設定放送局またはお気に入り放送局として分類され、設定され、または指定されているかどうかに基づいて、整理されるものとする。管理コンポーネント１２０は、モード選択、事前設定に追加、お気に入りに追加、次の放送局、選択、選択の解除、お気に入り、事前設定、または一つ以上の他のオプションのような一つ以上のオプションを有するメニューバーを提供するものとする。例えば、事前設定ボタンが選択されると、一つ以上の事前設定が提示されるものとする。同様に、お気に入りボタンが選択されると、一つ以上のお気に入りが、例えばユーザに提示されるものとする。このようにして、管理コンポーネント１２０は、（例えば、別の機器２００に構成された、または車両またはシステム１００のインターフェースを介して構成された）事前設定、お気に入り、または放送局を整理するものとする。
【００２０】
管理コンポーネント１２０は、例えば、物理的なボタン「０」〜「９」のような、ユーザ対話用インターフェースも備えるものとする。この例では、それぞれのボタンを利用して、事前設定として格納された放送局またはお気に入りとして格納された放送局を再度呼び出すものとする。さらに、このボタンを利用して、放送局を事前設定放送局またはお気に入り放送局として調整したり、設定したり、指定したりするものとする。ユーザがボタンを押下し所定時間ボタンを押し続けると、現在の放送局が事前設定またはお気に入りとして、そのボタンと関連付けられるものとする。ユーザが所定時間に達することなく一瞬だけボタンを押下すると、管理コンポーネント１２０によって選局が受け付けられる。管理コンポーネント１２０は、システム１００を対応する放送局にチューニングして、選局と関連付けられた放送局の再生を容易にするものとする。例えば、管理コンポーネント１２０は、クラウドから一つ以上の放送局（例えば、インターネットラジオ、ポッドキャスト、または他のコンテンツ）を受信するものとする。管理コンポーネント１２０は、周波数変調（ＦＭ）バンドまたは振幅変調（ＡＭ）バンド全体のラジオ放送局のチューニングも可能にするものとする。
【００２１】
管理コンポーネント１２０は、システム１００が一つ以上のモードで動作できるようにするものとする。例えば、管理コンポーネント１２０は、ソフトウェアボタンであっても物理的なボタンであってもよく、押下されるとユーザが異なるモードを選択するか周期的に繰り返すことを可能にする、モード選択ボタンを有するものとする。モードのうちの一つ以上には、事前設定モード、シャッフルモード、人工知能選択モード、等が含まれるものとする。現在のモードが、ディスプレイの上端またはディスプレイの上端と同等の位置に表示されるものとする。ディスプレイの上端と同等の位置または画面の上端は、特徴別放送局がプルダウンメニューから事前設定グループに追加されたり、タグ付けされたり、事前設定として設定されたりできるように、階層的に整理されているものとする。一つ以上の実施形態では、ユーザは、放送局が車両でアクセスできるようになる前に、モバイル機器に、または事前設定グループにこれらの放送局を追加する必要があるものとする。
【００２２】
例えば、現存の数百または数千の放送局のうち、ユーザは、自分のモバイル機器のアプリケーションを利用して、呼び出された放送局のうちの一つ以上を事前設定放送局として構成するものとする。モバイル機器と車両との間の接続が形成されると、事前設定放送局として構成されるか設定されるかした放送局だけがユーザに利用可能となるものとし、それによって、例えば、ユーザが不要な放送局を検索したり、利用可能な放送局に気を取られたりすることを最小限にするものとする。一つ以上の実施形態において、ユーザは、お気に入りに任意の放送局を追加できるようになる前に、事前設定グループに放送局を追加する必要があるものとする。同様に、これは、ユーザが利用可能な放送局を閲覧することを最小限にし、それによって、運転者または車両の操作者が彼らの目を道路に向けたままにする、つまり道路に集中することを容易に維持できるようにするものとする。
【００２３】
一つ以上の実施形態では、管理コンポーネント１２０は、ユーザが放送局を「事前設定」から「お気に入り」に移すことだけしかできないようにし、運転者またはユーザが車両作動中に行なう試行錯誤の量を軽減するものとする。ここで、通信コンポーネント１１０は、車両が走行している、閾値速度を超えている、エンジンがかかった状態である、またはエンジンキーを差した状態である、等という一つ以上の表示を（例えば、コントローラエリアネットワーク（ＣＡＮ）から）受信するものとする。他の実施形態では、管理コンポーネント１２０は、例えば、乗員が検知されると、チャンネルまたは放送局のカスタマイズができるようにするものとする。
【００２４】
管理コンポーネント１２０は、ユーザが、以前に（例えば、モバイル機器のアプリケーションを介して、クラウド内に、等）事前設定放送局として設定された放送局が、ユーザ入力に応答して、お気に入りとして設定または再設定されるように、一つ以上の放送局を設定または再設定できるようにするものとする。言い換えれば、管理コンポーネント１２０は、ユーザが放送局を「事前設定」放送局状態から「お気に入り」放送局へ再設定できるように構成されるものとする。一つ以上の実施形態において、管理コンポーネント１２０は、「事前設定」放送局として指定された放送局だけを「お気に入り」放送局に変更または再設定できるようにするものとする。このようにして、管理コンポーネント１２０は、ユーザまたは運転者が車両を操作している間は、放送局を割り当てることと関連付けられる試行錯誤を軽減するものとする。例えば、管理コンポーネント１２０が、チャンネルまたは放送局のアクセス範囲を、それら一つ以上の放送局が前もって「事前設定」として設定された放送局であるように制限または制御するものとするので、安全性や安全運転が促進されるであろう。
【００２５】
一つ以上の実施形態において、システム１００は、放送局と関連付けられた状態（例えば、事前設定、条件付きの事前設定、お気に入り、特徴別、選択された、選択解除された、等）を基に、放送局に対するアクセスを可能にし、制御し、または制限するだけであって、ここで、ユーザは、車両が作動していないかモバイル機器が車両に接続されていないときモバイル機器（例えば、スマートフォン）のアプリケーションを用いて設定または追加された、事前設定放送局または類似の放送局をアクセスするだけである。他の実施形態では、カウントダウンタイマーが、「事前設定」として追加された放送局のうちの一つ以上と関連付けられるものとする（例えば、これは、一つ以上のプルダウンメニューを介して行われるものとする、等）。例えば、ユーザがモバイル機器のアプリケーションを利用して一つ以上の放送局を事前設定となるように選局するとき、それらの局のうちの一つ以上に対するアクセスが一時的にブロックまたは拒否されることがある。したがって、ユーザは、自分の車両を起動できないし、車両の運転中はモバイル機器のアプリケーションを利用して一つ以上の事前設定を設定できないし、モバイル機器を車両に接続できないし、また車両の運転中は追加されたコンテンツを有料で楽しむことができない。このようにして、システム１００は、（例えば、車両の運転中にコンテンツの設定を思いとどまらせることによって）安全運転を促進するものとする。同様にして、お気に入りの放送局は、本明細書に記載した、「事前設定」放送局と関連付けられた操作に対応する方法で、追加または削除されるものとする。
【００２６】
管理コンポーネント１２０は、さまざまな要因に基づいて、条件付けを行なう、つまり一つ以上の事前設定放送局または一つ以上のお気に入り放送局の表示に条件を付けるものとする。例えば、管理コンポーネント１２０は、ユーザの一つ以上の特性またはユーザと関連付けられた一つ以上の属性、車両と関連付けられた一つ以上の特性、モバイル機器と関連付けられた一つ以上のアプリケーション、放送局、プレイリスト、チャネル、等と関連付けられた一つ以上の特性に基づいて、自動的に放送局に「事前設定」または「お気に入り」の状態を割り当ててもよい。例えば、管理コンポーネント１２０は、ユーザと関連付けられたプロファイルに基づいて、放送局の状態を割り当ててもよい（例えば、ユーザがソーシャルネットワーキングプロファイルに興味として音楽のジャンルを挙げた場合、管理コンポーネント１２０は、それに応じて放送局を事前設定からお気に入りに昇格させてもよい）。他の実施形態では、管理コンポーネント１２０は、前述の特性または属性の一つ以上に基づいて、放送局を（例えば、放送局の状態を変化させるのではなく）表示してもよい。
【００２７】
一つ以上の実施態様において、管理コンポーネント１２０は、車両が走行しているか否かまたは車両作動状態に基づいて、一つ以上の放送局を設定または再設定する機能を無効にするものとする。他の実施形態では、管理コンポーネント１２０は、事前設定放送局をお気に入りとして設定または再設定する機能は有効にするが、車両が作動モードにある、つまり走行中のときは、他の種類の設定動作（例えば、放送局をお気に入りから削除する、放送局を特徴別の状態から事前設定状態に変更する、等）は無効にするものとする。
【００２８】
管理コンポーネント１２０は、自車両と関連付けられている、全地球測位システム（ＧＰＳ）の位置に基づいて、一つ以上の放送局の状態に対する変更、または一つ以上の放送局の表示を有効にするものとする。例えば、車両がユーザの自宅または住居と関連付けられた位置にあると判定されると、管理コンポーネント１２０は、ユーザがおそらくその地域に精通していると推測されるので、その地域の見どころと関連付けられた一つ以上の放送局の表示を無効にしてもよい。別の状況では、管理コンポーネント１２０は、車両が所定の放送局と関連付けられた放送範囲内にあることに基づいて、その放送局をお気に入りに割り当ててもよい。車両が放送範囲外に離れる、または走行するにつれて、管理コンポーネント１２０は、例えば、一つ以上の類似の放送局を割り当てて、お気に入り放送局または事前設定放送局として当該放送局を置き換えるものとする。管理コンポーネント１２０は、時間、タイマー、カウントダウンタイマー、等に基づいて、一つ以上の放送局を整理したり、表示したり、所定の状態を割り当てたりしてもよい。例えば、管理コンポーネント１２０は、ユーザまたは運転者が所定の時間、将来の時間、またはスケジュールに従って、放送局に所定の状態（例えば、お気に入り、事前設定、等）を割り当てられるようにしてもよい。例えば、管理コンポーネント１２０は、ユーザが次の四時間は所定の放送局をお気に入りにする、または毎日曜日には所定の放送局をお気に入りまたは事前設定にするが、週の残りの日にはそうしない（例えば、ユーザは、特定の時間帯や季節に限って、プロサッカー試合の放送に耳を傾けるというように、所定の放送と関連付けられたコンテンツに耳を傾けたり、有料で楽しんだりする、等）ことができるようにしてもよい。このようにして、管理コンポーネント１２０は、一つ以上の放送局の表示または提示を調節することによって、または時刻、曜日、スケジュール、タイマー、ＧＰＳ位置、ユーザ特性、車両特性、等に基づいて、対応する状態を割り当てることによって、ユーザが放送局または事前設定のページをスクロールすることから解放するものとする。
【００２９】
他の実施形態では、時刻または曜日が管理コンポーネント１２０によって利用されて、個人的な事前設定または個人的なお気に入りというよりはむしろビジネス関連の事前設定またはお気に入りをいつ表示または提示するかを決定するものとする。同様に、放送局は、季節、時季、またはスヌーズ機能に基づいて、提示され、表示され、または状態を割り当てられるものとする。例えば、クリスマス放送局は、１１月と１２月中の休日には、（例えば、管理コンポーネント１２０を介して自動的に）事前設定放送局からお気に入りの放送局に昇格し、一年のうちの残りの期間には隠されるものとする。管理コンポーネント１２０は、また、ユーザが所定の時間だけ放送局または関連付けられたコンテンツをスヌーズ状態にさせることができるものとする。管理コンポーネント１２０は、ユーザに対するスヌーズ時間を学習するものとする。例えば、ユーザが所定の放送局をスヌーズ状態とし、一週間後にその放送局を要求する場合、ユーザはスヌーズ状態とされた放送局と関連付けられたコンテンツを約一週間遅延することを好むと判断されるものとする。この目的のために、管理コンポーネント１２０は、学習したスヌーズ時間に基づいて、自動的に、反復されるコンテンツをスヌーズ状態にしたり、またはコンテンツをスヌーズ状態から解除したりするものとする。
【００３０】
管理コンポーネント１２０は、通信コンポーネント１１０を介してシステム１００を別のシステム２００と同期させるものとする。例えば、ユーザが、モバイル機器またはシステム２００で、一つ以上の放送局のリストを事前設定放送局として設定する際に、事前設定放送局のうちの一つ以上は、これらの放送局がシステム１００内の提示コンポーネント１４０を介して利用可能になるように同期させるものとする。一つ以上の実施形態では、管理コンポーネント１２０は、一つ以上の放送局と関連付けられた、一つ以上の条件、因子、または属性に基づいて、一つ以上の放送局を同期させるものとする。しかし、モバイル機器でお気に入りとして設定された、または事前設定として設定された一つ以上の放送局は、放送局名、放送局と関連付けられたＧＰＳ位置、放送局と関連付けられたアプリケーション、等に基づいて、同期されないかまたはシステム１００に移植されないものとし、または反対に管理コンポーネント１２０によってフィルタされるものとする。例えば、所定の放送局が、「練習」と名づけられるか、またはユーザが練習中に有料で楽しむプレイリストやコンテンツと関連付けられている場合、管理コンポーネント１２０は、「練習」という放送局は他の局よりもあとまわしにしてもよいと判断し、それに応じて一つ以上の放送局を同期させるものとする。ここで、ユーザが車両を操作しながら練習する可能性は低いので、管理コンポーネント１２０は、「練習」という放送局がお気に入りとして設定されている場合、「練習」という放送局を事前設定放送局に降格させるものとする。
【００３１】
管理コンポーネント１２０は、一つ以上の放送局と関連付けられた一つ以上の使用パターンを識別するものとする。例えば、ユーザが通勤の途上で放送局を聴く、または有料で楽しむ場合、その放送局は、経路、一つ以上のＧＰＳ位置、時間枠または時間間隔、等と関連付けられる可能性がある。ここで、管理コンポーネント１２０は、その放送局を、それと関連付けられる、ユーザの視聴習慣、ＧＰＳ位置、時間、等に応じて整理するものとする。また、管理コンポーネント１２０は、モバイル機器の背後で実行されている、練習用アプリケーション、等のような、何かと関連付けられたアプリケーションを識別して、放送局の目的や状況を判断し、（例えば、推測される）その目的や状況に基づいて、一つ以上の放送局を整理するものとする。
【００３２】
推奨コンポーネント１３０は、前述の特性（例えば、ユーザ特性、車両特性、等）の一つ以上に基づいて、一つ以上の特徴別の放送局、事前設定放送局、またはお気に入りを勧めるものとする。例えば、推奨コンポーネント１３０は、ユーザ活動、ユーザ履歴、作業、カレンダーの予定、ＧＰＳ位置、計算されたルート、推定されるルート、予定時刻、等に基づいて、一つ以上の推奨放送局を提供するか、または推奨してもよい。ユーザが走行しているとき、推奨コンポーネント１３０は、食品、飲料、燃料、ホテル、ナビゲーション、交通、気象、等の情報を勧める、または提供する放送局を推奨するものとする。
【００３３】
提示コンポーネント１４０は、一つ以上のディスプレイ、または一つ以上のスピーカを備えるものとし、ここで、一つ以上の通知とは、視覚的な通知または音声通知である。提示コンポーネント１４０は、現在モードの通知、現在の放送局、関連する進行状況、一つ以上の事前設定放送局、一つ以上のお気に入り放送局、一つ以上の通知、等を表示するものとする。通知の一つ以上は、例えば、ユーザから受信される放送局選局に対応する放送局と関連付けられるものとする。提示コンポーネント１４０は、所定の放送局または現在の放送局と関連付けられたコンテンツのテキスト音声変換（ＴＴＳ）を行なうものとする。例えば、ソーシャルメディアサイトまたはアプリケーションから入力されたニュースは、ユーザまたは運転者がその都度更新情報（例えば、ニュース、つぶやき、等）を受け取ることができるように表示されるものとする。
【００３４】
放送局は、オーディオブック、ビジネスと金融、保健と健康、メディアと文化、一つ以上の音楽ジャンル、一つ以上のプレイリスト、ニュースと政治、ポッドキャスト、公共ラジオ、インターネットラジオ、一つ以上のお勧め、ソーシャルメディア、スポーツ、テクノロジー、等と関連付けられたコンテンツを含むものとする。
【００３５】
一つ以上の実施形態では、図１のシステム１００の通信コンポーネント１１０は、システム１００が一つ以上のモバイル機器、一台以上の他の車両、クラウド、等からのデータを同期、転送、または受信することを可能にするものとする。例えば、通信コンポーネント１１０は、システム１００が一つ以上の放送局を（例えば、他の車両用の別の通信コンポーネントを介して）他の車両と同期させ、またはシステム１００をクラウドと同期させ、次いで、それが一つ以上の機器またはシステム、等によってアクセスされることを可能にするものとする。また、システム２００で設定されたコンテンツまたは放送局は、例えば、システム１００に同期させられるか、またはその逆のことが起こるものとする。クラウドと関連付けられた実施形態では、情報、放送局、嗜好、事前設定、お気に入り、等に対するアクセスは、ログイン、ユーザ名、パスワード、等を入力することによって提供されるものとする。
【００３６】
図２は、一つ以上の実施形態に係る、例示的なコンテンツ管理システム２００の図である。コンテンツ管理システム２００は、通信コンポーネント２１０と、放送局集約コンポーネント２２０と、推奨コンポーネント２３０と、アプリケーションコンポーネント２４０（例えば、一つ以上の集約放送局を整理するために利用される、モバイル機器にインストールされたアプリケーション）と、表示コンポーネント２５０と、を備えるものとする。一つ以上の実施形態では、コンテンツ管理システム２００は、モバイル機器内に採用されるものとする。このシステム２００は、また、位置コンポーネント（例えば、ＧＰＳ機器）も備えるものとする。通信コンポーネント２１０は、システム２００が、図１のシステム１００のような別のシステム、または、例えば、車両と関連付けられたシステムに通信可能に結合されることを可能にするものとする。通信コンポーネント２１０は、別のシステムが図２のシステム２００と同期させられるように、一つ以上の事前設定放送局のリスト、または事前設定放送局かお気に入り放送局の一つ以上を伝送するものとする。
【００３７】
放送局集約コンポーネント２２０は、例えば、一つ以上の利用可能な放送局または一つ以上の特徴別放送局のような、有料で楽しめる一つ以上の放送局を集めるものとする。アプリケーションコンポーネント２４０は、ユーザがシステム２００を利用しているとき、ユーザが放送局のリストを作成することを可能にするものとする。一つの例では、アプリケーションコンポーネント２４０は、放送局のリストを作成する放送局マネジャーを実行するものとする。アプリケーションコンポーネント２４０は、所定の放送局を事前設定放送局またはお気に入り放送局と設定する、一つ以上のユーザ指示、または他のユーザ入力を受け取るものとする。言い換えれば、アプリケーションコンポーネント２４０は、一つ以上のそれぞれの放送局に対する指示を受けるものとする。ここで、一つ以上のユーザ指示というユーザ指示は、（例えば、放送局を設定する）事前設定指示またはお気に入り指示であるものとする。このようにして、ユーザは、アプリケーションコンポーネント２４０を利用して、一つ以上の放送局を事前設定放送局またはお気に入り放送局として設定するものとする。
【００３８】
また、アプリケーションコンポーネント２４０は、一つ以上のユーザの指示、ユーザ入力、またはユーザによる設定動作に基づいて、一つ以上の放送局から一つ以上の事前設定放送局のリスト、または一つ以上のお気に入り放送局のリストを作成するものとする。一つ以上の実施態様においては、アプリケーションコンポーネント２４０は、一つ以上の最上位放送局を選択し、これらの放送局を自動的に事前設定またはお気に入りとして追加するものとする。他の実施形態では、アプリケーションコンポーネント２４０は、ユーザの入力またはユーザ指示を利用し、それに応じて事前設定またはお気に入りを設定するものとする。お気に入りまたは事前設定は、表示コンポーネント２５０によって表示されるように、星印のような、または異なる色で表示される標識を使って視覚的に表示されるものとする。表示コンポーネント２５０は、一つ以上のそれぞれの、つまり対応する放送局に対して、一つ以上のユーザ指示を確認するものとする。
【００３９】
図１の推奨コンポーネント１３０と同様に、図２のシステム２００の推奨コンポーネント２３０は、コンテンツ管理システム２００と関連付けられた一つ以上の他のアプリケーションに基づいて、一つ以上の推奨放送局を提供するものとする。例えば、ユーザがプレイリスト、放送局、等を聴くときに練習用アプリケーションが実行されている場合、アプリケーションコンポーネント２４０は、その局を練習用音楽の状況と関連付けるものとする。また、通信コンポーネント２１０は、図１のシステム１００のような別のシステムに通信可能に結合されているとき、アプリケーションコンポーネント２４０は、例えば、システム１００が練習と関連付けられていないと判断した場合、練習用放送局をシステム１００に同期させないか、そうでなければ転送しないように決定または選択するものとする。
【００４０】
図３は、一つ以上の実施形態に係るコンテンツ管理方法３００の例示的な流れ図を示している。一つ以上の実施形態では、該方法３００は、ステップ３０２で、一つ以上の事前設定またはお気に入り放送局を整理するために、アプリケーションが利用されるモバイル機器にアプリケーションをインストールすることを含むものとする。ステップ３０４で、該方法３００は、インストールされたアプリケーションを利用して、一つ以上の放送局を事前設定として、またはお気に入りとして登録することを含むものとする。ステップ３０６で、該方法３００は、アプリケーションを介して、またはモバイル機器を利用して、一つ以上の放送局を別のシステムと同期させることを含むものとする。このようにして、他のシステムは、一つ以上のアプリケーションを利用して設定された、事前設定放送局またはお気に入り放送局にアクセスするものとする。
【００４１】
図４は、一つ以上の実施形態に係る、コンテンツ管理方法４００の例示的な流れ図を示している。該方法４００は、ステップ４０２で、一つ以上の放送局を集約し、ステップ４０４で、一つ以上の放送局のそれぞれに対して一つ以上のユーザ指示を受信し、ここで、一つ以上のユーザ指示のユーザ指示は事前設定指示またはお気に入り指示であり、ステップ４０６で、対応する一つ以上のユーザ指示に基づいて、一つ以上の局を伝送することを含むものとする。一つ以上の実施形態において、該方法４００は、一つ以上の放送局のそれぞれに対する一つ以上のユーザ指示の確認を表示するステップと、一つ以上の放送局のそれぞれに対する一つ以上のユーザ指示に基づいて一つ以上の事前設定放送局のリスト、または一つ以上のお気に入り放送局のリストを表示するステップと、モバイル機器と関連付けられた一つ以上のアプリケーションに基づいて一つ以上の推奨放送局を推奨するステップと、モバイル機器と関連付けられたユーザ活動に基づいて一つ以上の推奨放送局を推奨するステップと、一つ以上の伝送された放送局と関連付けられたユーザ活動を受信するステップと、を含むものとし、ここで、ユーザ活動は車両内で起こるものである。
【００４２】
図５は、一つ以上の実施形態に係るコンテンツ管理システムと関連付けられた例示的なインターフェース５００を示す図である。図５のインターフェース５００は、事前設定放送局リスト５１０と、特徴別放送局リスト５２０と、メニューバー５４０と、トップメニュー５５０と、トップ画面５６０と、ドロップダウンメニュー５３０と、を備えるものとする。ドロップダウンメニュー５３０は、放送局が事前設定状態／指示、またはお気に入りの状態／指示と関連付けられているかどうかに基づいて、一つ以上の異なるオプションを提供するものとする。
【００４３】
さらに別の実施形態として、本明細書に示された技術の一つ以上の実施形態を実施するように構成されたプロセッサ実行可能命令を含むコンピュータ可読媒体が含まれる。これらの方法で考案された、コンピュータ可読媒体、またはコンピュータ可読装置の実施形態は、図６に示されており、ここで、実装６００は、その上にコンピュータ可読データ６０６が符号化される、ＣＤ−Ｒ、ＤＶＤ−Ｒ、フラッシュドライブ、ハードディスクドライブの円盤、等のコンピュータ可読媒体６０８を備えている。６０６に示されるように複数のゼロと１を含む二進数データのようなコンピュータ可読データ６０６は、翻ってみれば、本明細書に記載の一つ以上の原理に従って動作するように構成された、一連のコンピュータ命令６０４を含んでいる。６００のような実施形態では、プロセッサ実行可能なコンピュータ命令６０４は、図３の方法３００または図４の方法４００のような方法６０２を実行するように構成されている。 別の実施形態では、プロセッサ実行可能命令６０４は、図１のシステム１００または図２のシステム２００のようなシステムを実施するように構成されている。本明細書に示された技術に従って動作するように構成された、多くのそのようなコンピュータ可読媒体が、当業者によって考案されている。
【００４４】
本願で使用されるように、用語「コンポーネント」、「モジュール」、「システム」、「インターフェース」、等は、一般的に、ハードウェア、ハードウェアとソフトウェアの組み合わせ、ソフトウェア、または実行中のソフトウェアであれ、コンピュータ関連の実体を指すよう意図したものである。例えば、コンポーネントは、プロセッサ上で実行中のプロセス、プロセッサ、オブジェクト、実行可能物、実行スレッド、プログラム、またはコンピュータ、であってもよいがそれに限定されるものではない。実例として、コントローラ上で実行中のアプリケーションとそのコントローラは、両方ともコンポーネントであってもよい。プロセスまたは実行スレッド内に存在する一つ以上のコンポーネントおよび一つのコンポーネントは、一台のコンピュータに局在または二台以上のコンピュータに分散してもよい。
【００４５】
また、特許請求される主題は、方法、装置、またはコンピュータを制御して開示された主題を実装するソフトウェア、ファームウェア、ハードウェア、またはこれらの任意の組み合わせを生産するための標準プログラミングまたはエンジニアリング技術を用いた製造物として実現される。本明細書で使用される用語「製造物」は、任意のコンピュータ可読装置、担体、または媒体からアクセス可能なコンピュータプログラムを包含するものである。もちろん、特許請求された主題の範囲または精神から逸脱することなく、この構成に対して多くの改変が可能である。
【００４６】
図７および以下の議論は、本明細書に記載された、一つ以上の提供物である実施形態を実施するのに適切なコンピュータ環境について説明するものである。図７の動作環境は、適切な動作環境の一例に過ぎず、動作環境の使用範囲または機能に関して何らかの限定を示唆するものではない。コンピュータ装置の例としては、パーソナルコンピュータ、サーバコンピュータ、ハンドヘルドまたはラップトップ装置、例えば携帯電話、携帯情報端末（ＰＤＡ）、メディアプレーヤ、等のモバイル機器、マルチプロセッサシステム、消費者電子機器、ミニコンピュータ、メインフレームコンピュータ、上記のシステムまたは装置のいずれかを含む分散コンピュータ環境、等が含まれるが、これらに限定されるものではない。
【００４７】
一般的に、実施形態は、「コンピュータ可読命令」が一台以上のコンピュータ装置によって実行されるという一般的な文脈で説明されている。後述するように、コンピュータ可読命令は、コンピュータ可読媒体を介して配信されてもよい。コンピュータ可読命令は、一つ以上のタスクを実行または一つ以上の抽象データ型を実装する、例えば、関数、オブジェクト、アプリケーションプログラミングインタフェース（ＡＰＩ）、データ構造、等のプログラムモジュールとして実装されてもよい。通常、コンピュータ可読命令の機能は、様々な環境で要求通りに統合または分散されている。
【００４８】
図７は、本明細書に提供される一つ以上の実施形態を実装するように構成されたコンピュータ装置７１２を備えるシステム７００を示している。ある構成では、コンピュータ装置７１２は、少なくとも一つの処理装置７１６およびメモリ７１８を備えている。正確な構成およびコンピュータ装置の型にもよるが、メモリ７１８は、ＲＡＭのように揮発性でも、ＲＯＭ、フラッシュメモリ、等のように不揮発性でも、またはこれらの組み合わせでもよい。この構成は、図７に破線７１４で示されている。
【００４９】
他の実施形態では、装置７１２は、追加の機構または機能を備えている。例えば、装置７１２は、磁気記憶装置、光記憶装置、等を含むがこれらに限定されるものではなく、取り外し可能な記憶装置または取り外しができない記憶装置のような追加記憶装置を備えていてもよい。このような追加記憶装置は、図７に記憶装置７２０として示されている。一つ以上の実施形態において、本明細書に提供される一つ以上の実施形態を実装するコンピュータ可読命令は、記憶装置７２０内にある。記憶装置７２０は、オペレーティングシステム、アプリケーションプログラム、等を実装する他のコンピュータ可読命令も格納するものとする。コンピュータ可読命令は、例えば、処理装置７１６による実行のためメモリ７１８にロードされるものとする。
【００５０】
本明細書で使用される用語「コンピュータ可読媒体」は、コンピュータ記憶媒体を含む。コンピュータ記憶媒体は、コンピュータ可読命令または他のデータのような情報を格納するために、任意の方法または技術で実装される、揮発性および不揮発性、取り外し可能および取り外しができない媒体を含む。メモリ７１８および記憶装置７２０は、コンピュータ記憶媒体の例である。コンピュータ記憶媒体には、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光記憶装置、磁気カセット、磁気テープ、磁気ディスク記憶装置または他の磁気記憶装置、または所望の情報を記憶するために使用されて装置７１２によってアクセスされる任意の他の媒体が含まれるが、これらに限定されない。このような任意のコンピュータ記憶媒体は、装置７１２の一部である。
【００５１】
「コンピュータ読み取り可能なメディア」という用語は、通信媒体を含む。通信媒体は、通常、コンピュータ可読命令または他のデータを搬送波のような「変調データ信号」で、または他の伝送方法で具現化するものであって、任意の情報配信媒体を含む。「変調データ信号」という用語は、情報を信号に符号化するように設定または変更された、一つ以上の特性を有する信号を含むものである。
【００５２】
装置７１２は、キーボード、マウス、ペン、音声入力装置、タッチ入力装置、赤外線カメラ、ビデオ入力装置、または他の任意の入力装置のような入力装置７２４を含む。一台以上のディスプレイ、スピーカ、プリンタ、または他の任意の出力装置のような出力装置７２２が、装置７１２に含まれるものとする。入力装置７２４と出力装置７２２は、有線接続、無線接続、またはそれらの任意の組み合わせを介して装置７１２に接続されるものとする。一つ以上の実施形態では、別のコンピュータ装置の入力装置または出力装置が、コンピュータ装置７１２の入力装置７２４または出力装置７２２として使用されてもよい。装置７１２は、一つ以上の他の装置との通信を容易にするために通信接続７２６を含んでもよい。
【００５３】
一つ以上の態様によれば、モバイル機器にシステムを通信可能に連結する通信コンポーネントを含むコンテンツ管理システムが提供され、ここで、モバイル機器のアプリケーションは、一つ以上の放送局を事前設定放送局またはお気に入り放送局として設定する。このシステムは、管理コンポーネントを含むものとする。この管理コンポーネントは、モバイル機器のアプリケーションによって設定された一つ以上の放送局を受信するものとする。この管理コンポーネントは、一つ以上の放送局のうちの所定の放送局が事前設定放送局またはお気に入り放送局であるかどうかに基づいて、一つ以上の放送局を整理するものとする。この管理コンポーネントは、選局を受信するものとする。このシステムは、一つ以上の通知を表示する提示コンポーネントを備えるものとし、ここで、一つ以上の通知は、選局に対応する放送局と関連付けられているものとする。
【００５４】
一つ以上の実施態様において、管理コンポーネントは、以前に設定された事前設定放送局が、ユーザ入力に基づいて、お気に入り放送局として設定されるように、一つ以上の放送局を再設定することができるものとする。管理コンポーネントは、クラウドから一つ以上の放送局を受信したり、選局に対応する放送局の再生が容易にできるようにしたりするものとする。また、管理コンポーネントは、車両内で用い、モバイル機器のアプリケーションによって設定された一つ以上の放送局を整理するものとする。提示コンポーネントは、一つ以上の事前設定放送局のリストまたは一つ以上のお気に入り放送局のリストを表示するものとする。通信コンポーネントは、選局またはユーザ入力を伝送するものとする。さらに、通信コンポーネントは、ブルートゥースチャネルを介してモバイル機器にシステムを通信可能に連結するものとする。システムは、ユーザ活動に基づいて一つ以上の推奨放送局を提供する推奨コンポーネントを含むものとする。提示コンポーネントは、一つ以上のディスプレイまたは一つ以上のスピーカを備え、ここで、一つ以上の通知は、視覚的通知または音声通知であるものとする。
【００５５】
一つ以上の態様によれば、車両にシステムを通信可能に連結する通信コンポーネントと、有料で楽しむことができる一つ以上の放送局を収集する集約コンポーネントと、アプリケーションコンポーネントと、表示コンポーネントとを備えるコンテンツ管理システムが提供される。アプリケーションコンポーネントは、一つ以上の放送局のそれぞれに対して一つ以上のユーザ指定を受け取るものとし、ここで、一つ以上のユーザ指定のうちの所定のユーザ指定は、事前設定の指定またはお気に入りの指定である。アプリケーションコンポーネントは、一つ以上のユーザ指定に基づいて、一つ以上の放送局から一つ以上の事前設定放送局のリストと一つ以上のお気に入り放送局のリストを構築するものとする。表示コンポーネントは、一つ以上の放送局のそれぞれに対する一つ以上のユーザ指定を確認するものとする。
【００５６】
一つ以上の実施形態において、通信コンポーネントは、一つ以上の事前設定放送局のリストまたは一つ以上のお気に入り放送局のリストを伝送するものとする。システムは、コンテンツ管理システムと関連付けられた一つ以上の他のアプリケーションに基づいて、一つ以上の推奨放送局を提供する推奨コンポーネントを備えるものとする。コンテンツ管理システムは、モバイル機器内に採用されるものとする。
【００５７】
一つ以上の態様によれば、一つ以上の放送局を集約するステップと、一つ以上の放送局のそれぞれに対して、事前設定の指定またはお気に入りの指定である、一つ以上のユーザ指定を受け取るステップと、対応する一つ以上のユーザ指定に基づいて、一つ以上の放送局を伝送するステップと、を含むコンテンツ管理方法が提供される。
【００５８】
一つ以上の実施形態において、該方法は、一つ以上の放送局のそれぞれに対する一つ以上のユーザ指定に基づいて、一つ以上の事前設定放送局のリストまたは一つ以上のお気に入り放送局のリストを表示するステップを含む。この方法は、一つ以上の伝送された放送局と関連付けられた、車両内で発生するユーザ活動を受け取るステップを含むものとする。この方法は、一つ以上の放送局のそれぞれに対する一つ以上のユーザ指定の確認を表示するステップを含むものとする。この方法は、モバイル機器と関連付けられた一つ以上のアプリケーションに基づいて、一つ以上の推奨放送局を推奨するステップを含むものとする。この方法は、モバイル機器と関連付けられたユーザ活動に基づいて、一つ以上の推奨放送局を推奨するステップを含むものとする。
【００５９】
主題は構造的特徴または方法論的動作に特有の言語で説明してきたが、添付された請求項の主題は、必ずしも上述した特定の特徴または動作に限定されるものではないことを理解すべきである。むしろ、上述した特定の特徴および動作は、実施形態例として開示されている。
【００６０】
実施形態の様々な動作が、本明細書に提供されている。一つ以上のまたはすべての動作が記載されている順序は、これらの動作が必ずしも順序に依存したものではないことを意味するように解釈されるべきである。このように記載すれば、別の順序とすることも理解されるであろう。さらに、すべての動作が必ずしも本明細書に提供された各実施形態に存在しているわけではない。
【００６１】
本出願では、「または」は、排他的な「または」ではなく、包括的な「または」を意味することを意図している。また、本出願における「ａ」および「ａｎ」は、特に断りがあるとかまたは単数形を意味することが文脈から明らかでない限り、一般的に、「一つ以上」を意味すると解釈される。また、「ＡおよびＢの少なくとも一つおよび／または等」は、一般的に、「ＡまたはＢまたはＡとＢの両方」を意味する。さらに、「含む」、「有する」、「有している」、「といっしょに」、またはこれらの変形が詳細な説明または請求項のいずれかで使用される限りにおいて、このような用語は「備える（含む）」という用語と同様に包括的であることを意図している。
【００６２】
また、特に断りのない限り、「第一」、「第二」、等は、時間的な側面、空間的な側面、順序、等を意味することは意図していない。むしろ、そのような用語は、単に特徴、要素、項目、等の識別子、名称、等として使用されている。例えば、第一チャンネルおよび第二チャンネルは、一般的に、チャネルＡおよびチャネルＢ、または二つの異なるまたは同一のチャネル、または同じチャネルに対応している。
【００６３】
また、本開示は、一つ以上の実装に関して図示および説明が行なわれたが、本明細書および添付の図面を読んで理解することによって、同等の改変や変更が発生するものと思われる。本開示は、そのような変更および改変を全て含み、以下の請求項の範囲によってのみ限定される。
【図１】
2015149709.tif 000003
【図２】
2015149709.tif 000004
【図３】
2015149709.tif 000005
【図４】
2015149709.tif 000006
【図６】
2015149709.tif 000007
【図７】
2015149709.tif 000008
【図５】
2015149709.tif 000009